(57)【要約】【課題】バリア羽根の回転軸をレンズ鏡筒とは別の部材に設けると、バリア羽根の停止位置精度が悪くなる。【解決手段】バリア機構が、レンズ鏡筒（２）の繰り出し繰り込み動作に応じて回転し、この回転動作によりレンズ前面を開閉するバリア羽根（１）と、レンズ鏡筒の先端側に形成された光軸直交方向に延びる端面よりもレンズ鏡筒の先端側に位置し、バリア羽根を駆動するバリア駆動機構（３、４）と、レンズ鏡筒に固定され、バリア羽根とバリア駆動機構とを光軸方向で仕切る仕切板（７）とを有し、バリア羽根が、レンズ鏡筒から形成された回転軸（２ａ）を介してレンズ鏡筒に連結する。【選択図】  図１
2004258120.tif 000002
【特許請求の範囲】
【請求項１】
レンズを保持し、光軸方向に繰り出し繰り込み可能なレンズ鏡筒と、このレンズ鏡筒の先端に配置されたバリア機構とを有するカメラにおいて、
前記バリア機構が、
前記レンズ鏡筒の繰り出し繰り込み動作に応じて回転し、この回転動作によりレンズ前面を開閉するバリア羽根と、
前記レンズ鏡筒の先端側に形成された光軸直交方向に延びる端面よりも前記レンズ鏡筒の先端側に位置し、前記バリア羽根を駆動するバリア駆動機構と、
前記レンズ鏡筒に固定され、前記バリア羽根と前記バリア駆動機構とを光軸方向で仕切る仕切板とを有し、
前記バリア羽根が、前記レンズ鏡筒から形成された回転軸を介して前記レンズ鏡筒に連結することを特徴とするカメラ。
【発明の詳細な説明】
【０００１】
【発明の属する技術分野】
本発明は、レンズ鏡筒のレンズ前面を保護する開閉式のバリア機構に関するものである。
【０００２】
【従来の技術】
カメラの撮影レンズ前面に配置され、レンズ鏡筒の光軸方向の動き（繰り出し繰り込み）に連動してバリア羽根を開閉するバリア機構には種々のものが提案されている。このバリア機構の基本的な構成を図４に示す。
【０００３】
バリア羽根１０１は、穴部１０１ａが回転軸１０２に嵌合することで回転軸１０２に対して回転可能に支持されている。回転軸１０２は不図示の地板（例えばレンズ鏡筒など）に設けられている。そして、駆動ピン１０１ｂが第１駆動リング１０３の切欠部１０３ａに係合している。
【０００４】
第１駆動リング１０３は第２駆動リング１０４に回転可能に嵌合し、吸収バネ１０５によって第２駆動リング１０４に対して矢印Ａ方向に回転付勢されている。ここで、第１駆動リング１０３は吸収バネ１０５の引掛け軸１０３ｂが第２駆動リング１０４のストッパ１０４ａに当接することによって、通常時は一体となって動作する。
【０００５】
第２駆動リング１０４は不図示の地板（例えばレンズ鏡筒など）に回転可能に保持されており、開きバネ１０６によって矢印Ｂ方向に回転付勢されている。
【０００６】
開きバネ１０６の一端は引掛け軸１０７に固定されているが、この引掛け軸１０７は不図示の地板（例えばレンズ鏡筒など）に設けられている。第１駆動リング１０３および第２駆動リング１０４は、開きバネ１０６によって矢印Ｂ方向に回転し、結果としてバリア羽根１０１を開き方向（矢印Ｃ）に回転させる。  バリア機構は不図示の地板（例えばレンズ鏡筒など）に保持されているため、レンズ鏡筒が繰り出し状態（撮影状態）にあるときにバリア羽根１０１は開いた状態になっている。一方、レンズ鏡筒が繰り込む（非撮影状態になる）と、カメラ内部にあるカム状突起１０８が第２駆動リング１０４のカム面１０４ｂを押すことによって、第１駆動リング１０３及び第２駆動リング１０４を矢印Ａ方向に回転させて、バリア羽根１０１が矢印Ｃと反対方向に回転してレンズ前面を閉じる。
【０００７】
閉じた状態にあるバリア羽根１０１に矢印Ｃ方向の外力が加わると、第１駆動リング１０３のみが吸収バネ１０５の回転付勢力に抗して矢印Ｂ方向に回転する。
【０００８】
以上の構成において、地板やレンズ鏡筒がバリア機構を収納・保持する構成について図５から図７に示す断面図を用いて説明する。
【０００９】
図５に示す構成（第１の従来例）では、レンズ鏡筒１０９に回転軸１０２や引掛け軸１０７（不図示）が直接設けられている（例えば、特許文献１、２参照）。また、バリア機構は、レンズ鏡筒１０９内に収納されており、バリアカバー１１０がレンズ鏡筒１０９の前面を覆っている。
【００１０】
図５に示す構成では、構成が簡素であり、レンズ鏡筒１０９の前面からバリア機構を組み付けることができるようになっている。
【００１１】
図６に示す構成（第２の従来例）では、バリア羽根１０１以外のバリア駆動機構をレンズ鏡筒１０９の内面側（図中右側）から組み付けるように構成されている（例えば、特許文献３参照）。この構成では、第１駆動リング１０３および第２駆動リング１０４をレンズ鏡筒１０９内に収納するために、押さえ板１１２を用いている。
【００１２】
図７に示す構成（第３の従来例）は、バリア羽根１０１とバリア駆動機構とを、バリア地板１１３で仕切った構成である。このため、回転軸１０２はバリア地板１１３に設けられている。
【００１３】
【特許文献１】
特開平８−２３４２９２号公報
【特許文献２】
特開平１０−１８６４５３号公報
【特許文献３】
特開平９−２１１５３６号公報
【００１４】
【発明が解決しようとする課題】
しかし、図５に示す構成では、バリア羽根１０１を閉じる時に第２駆動リング１０４がカム状突起１０８によってレンズ鏡筒１０９の前方（図中左側）に押されることにより、バリア羽根１０１の走行を妨げる恐れがあり、バリア羽根１０１の閉じ不良を起こす恐れがある。
【００１５】
一方、図６に示す構成では、バリア羽根１０１とバリア羽根１０１以外のバリア駆動機構（特に、第２駆動リング１０４）との間にレンズ鏡筒１０９の一部が位置しているため、上述したように第２駆動リング１０４がカム状突起１０８によってレンズ鏡筒１０９の前方に押し込まれても、バリア羽根１０１の走行を妨げることはない。
【００１６】
しかし、バリア駆動機構をレンズ鏡筒１０９の内面側（図中右側）から組み付けなければならないため、バリア機構の組み立てが困難になる。
【００１７】
図７に示す構成では、バリア羽根１０１とバリア駆動機構（特に、第２駆動リング１０４）との間にバリア地板１１３が配置されているため、上述したように第２駆動リング１０４がカム状突起１０８によって押し込まれてもバリア羽根１０１の走行を妨げることがない。しかも、バリア機構全体をレンズ鏡筒１０９の前面側から組み込むことができる構成となっているため、バリア機構の組み立ても容易である。
【００１８】
しかし、図７に示す構成では、バリア羽根１０１の開き状態や閉じ状態が不安定になる恐れがある。
【００１９】
つまり、バリア羽根１０１の閉じ状態および開き状態は、回転軸１０２と駆動ピン１０１ｂの相対的な位置関係で定義されるが、回転軸１０２がバリア地板１１３に設けられていると、レンズ鏡筒１０９とバリア地板１１３との嵌合ガタ、組み付け誤差、部品バラツキなどによって、バリア地板１１３が光軸直交面内で動いてしまい、回転軸１０２の位置も変化してしまう。
【００２０】
このように回転軸１０２の位置が変化してしまうと、回転軸１０２および駆動ピン１０１ｂの相対的な位置関係が一義的に決まらず、バリア羽根１０１の開き位置および閉じ位置が所定の位置に固定されないため、バリア羽根１０１の開き状態および閉じ状態が不安定になってしまう。
【００２１】
【課題を解決するための手段】
本発明は、レンズを保持し、光軸方向に繰り出し繰り込み可能なレンズ鏡筒と、このレンズ鏡筒の先端に配置されたバリア機構とを有するカメラにおいて、バリア機構が、レンズ鏡筒の繰り出し繰り込み動作に応じて回転し、この回転動作によりレンズ前面を開閉するバリア羽根と、レンズ鏡筒の先端側に形成された光軸直交方向に延びる端面よりもレンズ鏡筒の先端側に位置し、バリア羽根を駆動するバリア駆動機構と、レンズ鏡筒に固定され、バリア羽根とバリア駆動機構とを光軸方向で仕切る仕切板とを有し、バリア羽根が、レンズ鏡筒から形成された回転軸を介してレンズ鏡筒に連結することを特徴とする。
【００２２】
【発明の実施の形態】
図１および図２に本実施形態におけるバリア機構を示す。図１はバリア機構の分解斜視図であり、図２はバリア機構を備えたレンズ鏡筒の部分断面図である。図３は、本実施形態であるカメラの外観斜視図（概略図）である。
【００２３】
図３において、２１はカメラ本体であり、この内部には撮影に必要な各種部材が収納されている。２２はレリーズボタンであり、半押し操作で撮影準備動作（測光動作および焦点調節動作等）が開始され、全押し操作で撮影動作（フィルムやＣＣＤ等の撮像素子への露光）が開始される。
【００２４】
２３は被写体像を観察するためのファインダユニットであり、２４はＡＦ補助光等を投光する投光部である。２５は被写体に向けて照明光を照射するストロボ装置である。
【００２５】
２６は撮影レンズを保持するレンズ鏡筒であり、カメラ本体２１内に収納された沈胴状態と、カメラ本体２１から繰り出した撮影状態との間で移動可能（繰り出し繰り込み可能）となっている。このレンズ鏡筒２６の前面には、後述するバリア駆動機構が設けられている。
【００２６】
次に、図１および図２を用いて、本実施形態のバリア機構の構成について説明する。
【００２７】
バリア羽根１の基端部には穴部１ａが形成されており、この穴部１ａをレンズ鏡筒２（レンズ鏡筒２６の一部）に設けられた回転軸２ａに嵌合することにより、バリア羽根１は回転軸２ａに回転可能に支持される。また、バリア羽根１には駆動ピン１ｂが設けられており、第１駆動リング３の切欠部３ａに係合している。
【００２８】
第１駆動リング３は、第２駆動リング４に対して回転可能に嵌合する。吸収バネ５は、この一端が第１駆動リング３の引掛け軸３ｃに係合するとともに、他端が第２駆動リング４の引掛け軸４ｃに係合することにより、第１駆動リング３を第２駆動リング４に対して矢印Ａ方向に付勢する。
【００２９】
ここで、第１駆動リング３の周方向３箇所に形成された切欠嵌合部３ｂと、第２駆動リング４の周方向３箇所に形成された突起嵌合部４ｂとの位相を合わせることにより、第１駆動リング３を第２駆動リング４に組み込むことができる。
【００３０】
このとき、第１駆動リング３は上述したように吸収バネ５によって矢印Ａ方向に付勢されており、切欠嵌合部３ｂの端部が突起嵌合部４ｂの端部に圧接しているため、後述するようにバリア羽根１の開閉動作を行うとき以外は第１駆動リング３および第２駆動リング４が一体となって動作する。
【００３１】
第２駆動リング４は、レンズ鏡筒２のレンズ保持部２ｂに回転可能に保持されている。開きバネ６は、この一端が第２駆動リング４の引掛け軸４ｄに係合するとともに、他端がレンズ鏡筒２の引掛け軸２ｃに係合することにより、第２駆動リング４を矢印Ｂ方向に付勢する。
【００３２】
第１駆動リング３、第２駆動リング４、吸収バネ５、開きバネ６は、レンズ鏡筒２の前面側からバリア地板（仕切板）７によって押さえ付けられることで、レンズ鏡筒２内に収納保持されている。
【００３３】
ここで、バリア地板７は、レンズ鏡筒２に設けられたバヨネット爪２ｄによって固定されている。すなわち、バリア地板７をレンズ鏡筒２に取り付ける場合には、まずバヨネット爪２ｄとバリア地板７に設けられた切欠部７ａとの位相を合わせることでバリア地板７をレンズ鏡筒２に組み込み、バリア地板７を時計方向（矢印Ａ方向）に回転させることでレンズ鏡筒２に固定することができる。
【００３４】
このとき、レンズ鏡筒２の回転軸２ａは、バリア地板７に形成された抜け穴部７ｂを貫通するようになっており、抜け穴部７ｂを貫通した状態でバリア羽根１を回転可能に支持する。なお、抜け穴部７ｂを、バリア地板７の外周を切り欠くことで形成される切欠部としてもよい。
【００３５】
また、バリア地板７には、バリア羽根１の駆動ピン１ｂが第１駆動リング３の切欠部３ａに係合できるように逃げ穴部７ｃが設けてある。この逃げ穴部７ｃは、長穴状に形成されており、バリア羽根１の回転動作における駆動ピン１ｂの作動スペースを確保する。
【００３６】
バリア機構をレンズ鏡筒２に実際に組み込み手順としては、まず、第２駆動リング４、開きバネ６、吸収バネ５、第１駆動リング１を順にレンズ鏡筒２に組み込んで、バリア地板７で押さえつける。次に、バリア羽根１を組み込んでからバリアカバー８を被せる。
【００３７】
バリアカバー８には弾性爪８ａが形成されており、この弾性爪８ａがレンズ鏡筒２に係合することで、バリアカバー８がレンズ鏡筒２に固定される。このとき、弾性爪８ａはバリア地板７の外周に形成された回転止め切欠部７ｄと係合する。
【００３８】
また、バリアカバー８の裏面に設けられた突起８ｂがレンズ鏡筒２の前面に設けられた切欠部２ｅと係合する。これにより、バリアカバー８はレンズ鏡筒２から外れず、光軸周りにも回転しないようになる。そして、バリアカバー８がレンズ鏡筒２に固定されることで、バリア地板７が光軸周りに回転するのを阻止する。
【００３９】
本実施形態では、図２に示すように、バリア機構が、レンズ鏡筒２の内周面に形成された端部２ｆよりもレンズ鏡筒２の先端側（図中左側）に位置しているため、バリア機構をレンズ鏡筒２の前面側から組み込むことができる。これにより、バリア機構（レンズ鏡筒）の組み立てを容易に行うことができる。
【００４０】
ここで、端部２ｆは、レンズ鏡筒２の最も先端側の位置に形成されており、光軸と直交する面を有する。
【００４１】
上述した構成において、レンズ鏡筒２の前面から組み込まれたバリア機構は、レンズ鏡筒２の光軸方向への繰り出し繰り込み動作に応じて一体的に移動する。
【００４２】
レンズ鏡筒２が繰り出して撮影状態にあるときには、バリア羽根１はバリアカバー８の中央に形成された開口部８ｃから退避して開き状態となっている。
【００４３】
一方、レンズ鏡筒２が撮影状態から繰り込んで沈胴状態となる場合には、第２駆動リング４のカム面４ａがレンズ鏡筒２の繰り込み動作に応じてカメラ本体内に設けられたカム状突起９に当接する。そして、カム面４ａおよびカム状突起９のカム係合作用により、第２駆動リング４が開きバネ６の付勢力に抗して矢印Ａ方向（矢印Ｂ方向と反対方向）に回転する。
【００４４】
第２駆動リング４が矢印Ａ方向に回転すると、第１駆動リング３が吸収バネ５の付勢力を受けて矢印Ａ方向に回転し、切欠部３ａおよび駆動ピン１ｂの係合作用によりバリア羽根１が回転軸２ａを中心に回転して開口部８ｃを閉じる。
【００４５】
レンズ鏡筒２が沈胴状態から繰り出して撮影状態となる場合には、レンズ鏡筒２の繰り出し動作に応じてカム面４ａおよびカム状突起９の係合が解除される。このとき、第２駆動リング４が開きばね６の付勢力を受けて矢印Ｂ方向に回転するとともに、第１駆動リング３が矢印Ｂ方向（矢印Ａ方向と反対方向）に回転する。
【００４６】
第１駆動リング３が矢印Ｂ方向に回転すると、切欠部３ａおよび駆動ピン１ｂの係合作用によりバリア羽根１が回転軸２ａを中心に回転して開口部８ｃから退避して開き状態となる。
【００４７】
バリア羽根１が閉じ状態にある場合において、バリア羽根１に対してバリア羽根１の開き方向に外力が加わると、第１駆動リング３のみが吸収バネ５の付勢力に抗して矢印Ｂ方向に回転する。
【００４８】
本実施形態では、図２に示すように、バリア機構をレンズ鏡筒２の前面側から組み込むことができるため、バリア機構の組み立てを容易に行うことができる。
【００４９】
また、バリア羽根１と、第２駆動リング４、開きバネ６、吸収バネ５、第１駆動リング１等からなるバリア駆動機構とは、バリア地板７を挟んで配置されているため、第２駆動リング４（カム面４ａ）がカム状突起９に当接してレンズ鏡筒２の前面側に押し込まれたとしても、バリア羽根１の走行（特に、閉じ動作）を妨げることはない。
【００５０】
すなわち、光軸方向での変位が阻止されたバリア地板７およびバリアカバー８により、バリア羽根１の走行スペースは確保されている。
【００５１】
また、本実施形態では、回転軸２ａがレンズ鏡筒２に固定されているため、バリア地板７が嵌合ガタ、組み付け誤差、部品バラツキ等の理由でレンズ鏡筒２に対して光軸直交面内で動いても、従来技術のように回転軸の位置がずれることはなく、バリア羽根１の開き状態および閉じ状態が不安定になることもない。
【００５２】
なお、本実施形態では、バリア羽根１に穴部１ａを形成するとともにレンズ鏡筒２に回転軸２ａを形成して、穴部１ａを回転軸２ａに嵌合させているが、逆の構成としてもよい。すなわち、バリア羽根１に回転軸を形成し、レンズ鏡筒２に上記回転軸と嵌合する穴部を形成してもよい。
【００５３】
また、本実施形態では、第１駆動リング３、第２駆動リング４、吸収バネ５および開きバネ６からなるバリア駆動機構を用いてバリア羽根１を駆動するようにしているが、バリア羽根１を開閉動作させるような構成であればいかなる構成であってもよい。この場合であっても、バリア駆動機構およびバリア羽根をバリア地板７で仕切り、バリア羽根の回転軸をレンズ鏡筒に設ければよい。
【００５４】
以上説明した実施形態は、以下に示す各発明を実施した場合の一例でもあり、下記の各発明は上記実施形態に様々な変更や改良が加えられて実施されるものである。
【００５５】
〔発明１〕  レンズを保持し、光軸方向に繰り出し繰り込み可能なレンズ鏡筒と、このレンズ鏡筒の先端に配置されたバリア機構とを有するカメラにおいて、
前記バリア機構が、
前記レンズ鏡筒の繰り出し繰り込み動作に応じて回転し、この回転動作によりレンズ前面を開閉するバリア羽根と、
前記レンズ鏡筒の先端側に形成された光軸直交方向に延びる端面よりも前記レンズ鏡筒の先端側に位置し、前記バリア羽根を駆動するバリア駆動機構と、
前記レンズ鏡筒に固定され、前記バリア羽根と前記バリア駆動機構とを光軸方向で仕切る仕切板とを有し、
前記バリア羽根が、前記レンズ鏡筒から形成された回転軸を介して前記レンズ鏡筒に連結することを特徴とするカメラ。
【００５６】
上記発明１によれば、バリア羽根が回転軸を介してレンズ鏡筒に連結されているため、上述した従来技術（第３の従来例）のように回転軸の位置がずれることはなく、バリア羽根の開き状態および閉じ状態が不安定になるのを防止することができる。
【００５７】
また、本発明では、バリア駆動機構が、レンズ鏡筒の先端側に形成された端面よりもレンズ鏡筒先端側に位置しているため、レンズ鏡筒の先端側からレンズ鏡筒内にバリア駆動機構（バリア機構）を容易に組み込むことができる。
【００５８】
さらに、本発明では、バリア羽根およびバリア駆動機構間に仕切板を配置しているため、上述した従来技術（第１の従来例）のようにバリア駆動機構がバリア羽根の走行を妨げる恐れもなくなる。
【００５９】
〔発明２〕  前記仕切板が、前記回転軸を貫通させるための穴部又は切欠部を有することを特徴とする前記発明１に記載のカメラ。
【００６０】
【発明の効果】
本発明のカメラによれば、バリア機構をレンズ鏡筒内に容易に組み込むことができ、バリア羽根の動作を妨げる恐れもなく、バリア羽根の開き状態および閉じ状態が不安定となることもない。
【図面の簡単な説明】
【図１】本実施形態におけるバリア機構の分解斜視図。
【図２】本実施形態におけるレンズ鏡筒の部分断面図。
【図３】本実施形態であるカメラの外観斜視図。
【図４】従来技術におけるバリア機構の分解斜視図。
【図５】従来技術におけるレンズ鏡筒の部分断面図。
【図６】従来技術におけるレンズ鏡筒の部分断面図。
【図７】従来技術におけるレンズ鏡筒の部分断面図。
【符号の説明】
１：バリア羽根            １ａ：穴部                １ｂ：駆動ピン
２：レンズ鏡筒          ２ａ：回転軸            ２ｂ：レンズ保持部
２ｃ：引掛け軸          ２ｄ：バヨネット爪      ２ｅ：切欠部
３：第１駆動リング        ３ａ：切欠部            ３ｂ：切欠嵌合部
４：第２駆動リング        ４ａ：カム面            ４ｂ：突起嵌合部
５：吸収バネ              ６：開きバネ
７：バリア地板            ７ａ：切欠部            ７ｂ：抜け穴部
７ｃ：逃げ穴部              ７ｄ：回転止め切欠
８：バリアカバー          ８ａ：弾性爪            ８ｂ：突起
９：カム状突起
１０１：バリア羽根            １０１ａ：穴部          １０１ｂ：駆動ピン
１０２：回転軸
１０３：第１駆動リング        １０３ａ：切欠        １０３ｂ：引掛け軸
１０４：第２駆動リング        １０４ａ：ストッパ    １０４ｂ：カム面
１０５：吸収バネ              １０６：開きバネ      １０７：引掛け軸
１０８：カム状突起
【図１】
2004258120.tif 000003
【図２】
2004258120.tif 000004
【図３】
2004258120.tif 000005
【図４】
2004258120.tif 000006
【図５】
2004258120.tif 000007
【図６】
2004258120.tif 000008
【図７】
2004258120.tif 000009